【手続補正書】
【提出日】平成19年11月9日(2007.11.9)
【手続補正１】
【補正対象書類名】明細書
【補正対象項目名】特許請求の範囲
【補正方法】変更
【補正の内容】
【特許請求の範囲】
【請求項１】 燃料電池電力設備の燃料処理部で使用するのに適した低硫黄含有量燃料に炭化水素燃料流を変換するために炭化水素燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル反応物脱硫装置へ酸素化物を含有する炭化水素燃料流を導入し、
ｃ）ニッケル反応物装置の出口端において約０．０５ｐｐｍ以下の硫黄を含有する流出燃料流を提供するのに有効な量の酸素化物が燃料流の中に存在する、
ことを含むことを特徴とする方法。
【請求項２】 酸素化物は、水、アルコール、エーテル、これらの混合物からなる群より選択されることを特徴とする請求項１記載の方法。
【請求項３】 酸素化物は、燃料流に酸素化物を含んでいない脱硫方法の作動寿命の少なくとも約３倍の作動寿命を提供するように作動できる量で存在することを特徴とする請求項２記載の方法。
【請求項４】 酸素化物は、水、ＭＴＢＥ、エタノール、メタノール、これらの混合物からなる群より選択されることを特徴とする請求項２記載の方法。
【請求項５】 燃料電池電力設備の燃料処理部で使用するのに適した低硫黄含有量燃料にガソリン燃料流を変換するためにガソリン燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル反応物脱硫装置へ酸素化物を含有するガソリン燃料流を導入し、
ｃ）ニッケル反応物装置の出口端において約０．０５ｐｐｍ以下の硫黄を含有する流出ガソリン燃料流を提供するのに有効な量の酸素化物がガソリン燃料流の中に存在する、
ことを含むことを特徴とする方法。
【請求項６】 酸素化物は、水、アルコール、エーテル、これらの混合物からなる群より選択されることを特徴とする請求項５記載の方法。
【請求項７】 酸素化物は、水、ＭＴＢＥ、エタノール、メタノール、これらの混合物からなる群より選択されることを特徴とする請求項６記載の方法。
【請求項８】 燃料電池電力設備の燃料処理部で使用するのに適した低硫黄含有量燃料にガソリン燃料流を変換するためにガソリン燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル反応物脱硫装置へ酸素化物を含有するガソリン燃料流を導入し、
ｃ）ニッケル反応物装置の出口端において平均で約０．０５ｐｐｍ以下の硫黄を含有する連続ガソリン燃料流を提供するのに有効な量の酸素化物がガソリン燃料流の中に存在する、
ことを含むことを特徴とする方法。
【請求項９】 燃料電池電力設備の燃料処理部で使用するのに適した低硫黄含有量燃料にガソリン燃料流を変換するためにガソリン燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル反応物脱硫装置へ酸素化物を含有するガソリン燃料流を導入し、
ｃ）ニッケル触媒装置内の炭素沈積を抑制するのにかつニッケル反応物装置の出口端において約０．０５ｐｐｍ以下の硫黄を含有する連続ガソリン燃料流を提供するのに有効な量のイソブチレンとメタノールに酸素化物がニッケル触媒によって変換される、
ことを含むことを特徴とする方法。
【請求項１０】 燃料電池電力設備の燃料処理部で使用するのに適した低硫黄含有量燃料にガソリン燃料流を変換するためにガソリン燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル触媒装置の出口端において約０．０５ｐｐｍ以下の硫黄を含有する低硫黄含有量ガソリン燃料流を提供するのに有効な量の酸素化物がガソリン燃料流の中に存在する酸素化物を含有するガソリン燃料流をニッケル反応物脱硫装置へ導入し、
ｃ）酸素化物は、脱硫工程中にニッケル反応物によってイソブチレンとメタノールに変換され、低硫黄含有量ガソリン燃料流は、ニッケル反応物が酸素化物を変換する限り形成される、
ことを特徴とする方法。
【請求項１１】 燃料電池電力設備の燃料処理部で使用するのに適した低硫黄含有量燃料にガソリン燃料流を変換するために液体ガソリン燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル反応物脱硫装置を約１５０℃〜約２３５℃の範囲の温度に維持し、
ｃ）ニッケル反応物装置の出口端において約０．０５ｐｐｍ以下の硫黄を含有する低硫黄含有量ガソリン燃料流を提供するのに有効な量の酸素化物がガソリン燃料流の中に存在する酸素化物を含有する液体ガソリン燃料流をニッケル反応物脱硫装置へ導入し、
ｄ）酸素化物は、脱硫工程中にニッケル反応物によってイソブチレンとメタノールに変換され、低硫黄含有量ガソリン燃料流は、ニッケル反応物が酸素化物を変換する限り形成される、
ことを特徴とする方法。
【請求項１２】  燃料電池電力設備の燃料処理部で使用するのに適した低硫黄含有量燃料にガソリン燃料流を変換するために液体ガソリン燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル反応物脱硫装置を約１５０℃〜約２３５℃の範囲の温度に維持し、
ｃ）ニッケル反応物装置の出口端において約０．０５ｐｐｍ以下の硫黄を含有する低硫黄含有量ガソリン燃料流を提供するのに有効な量の酸素化物が混合物中に存在する酸素化物を含有する、約２％〜約５％の水と液体ガソリン燃料流との混合物をニッケル反応物脱硫装置へ導入し、
ｄ）酸素化物は、脱硫工程中にニッケル反応物によって消費され、低硫黄含有量ガソリン燃料流は、ニッケル反応物が酸素化物を消費する限り形成される、
ことを特徴とする方法。
【請求項１３】  混合物中の水は、ニッケル反応物装置の入口に選択的酸化器の排気の一部を再循環させて戻すことにより得られることを特徴とする請求項１２記載の方法。
【請求項１４】  混合物中の水は、混合物中の唯一の酸素化物であることを特徴とする請求項１２記載の方法。
【請求項１５】  酸素化物は、ガソリン燃料流の中に存在するアルコールを含むことを特徴とする請求項１２記載の方法。
【請求項１６】  アルコールは、メタノール、エタノール、プロパノール、これらの混合物からなる群より選択されることを特徴とする請求項１４記載の方法。
【請求項１７】  酸素化物は、エーテルであることを特徴とする請求項１２記載の方法。
【請求項１８】  酸素化物は、ＭＴＢＥであることを特徴とする請求項１６記載の方法。
【請求項１９】  選択的酸化器の排気の再循環される部分は、選択的酸化器の排気の全体の１％〜１０％であることを特徴とする請求項１３記載の方法。
【請求項２０】 燃料電池電力設備の燃料処理部で使用するのに適した低硫黄含有量燃料にガソリン燃料流を変換するために液体ガソリン燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル反応物脱硫装置を約１５０℃〜約２３５℃の範囲の温度に維持し、
ｃ）ニッケル反応物装置の出口端において約０．０５ｐｐｍ以下の硫黄を含有する低硫黄含有量ガソリン燃料流を提供するのに有効な量の選択的酸化器の排気再循環物が存在する、燃料電池選択的酸化器の水素および水を含む排気再循環物と液体ガソリン燃料との、混合物をニッケル反応物脱硫装置へ導入する、
ことを特徴とする方法。
【請求項２１】 選択的酸化器の再循環物は、選択的酸化器の排気の全体の約１％〜約１０％からなることを特徴とする請求項２０記載の方法。
【請求項２２】 燃料電池電力設備の燃料処理部で使用するのに適した低硫黄含有量燃料に気体状燃料流を変換するために気体状燃料流を脱硫する方法であって、
ａ）燃料流に含有される有機硫黄化合物に含まれる硫黄を硫化ニッケルに変換するように作動するニッケル反応物脱硫装置を備え、
ｂ）燃料電池選択的酸化器の水素と水との再循環物混合物を含む気体状燃料流をニッケル反応物脱硫装置へ導入し、
ｃ）ニッケル反応物装置の出口端において約０．０５ｐｐｍ以下の硫黄を含有する流出気体状燃料流を提供するのに有効な量の選択的酸化器の再循環物混合物が気体状燃料流の中に存在する、
ことを特徴とする方法。
【請求項２３】 気体状燃料は、メタン、エタン、プロパン、ブタンからなる群より選択されることを特徴とする請求項２１記載の方法。
【請求項２４】 脱硫装置は、約１２０℃〜約２３５℃の範囲の温度で作動することを特徴とする請求項２１記載の方法。
【請求項２５】 選択的酸化器の排気の再循環される部分は、選択的酸化器の排気の全体の１％〜１０％であることを特徴とする請求項２１記載の方法。
【請求項２６】  燃料電池電力設備の燃料処理部で使用するのに適した低硫黄含有量燃料にガソリン燃料流を変換するために液体ガソリン燃料流を脱硫する方法であって、
ａ）燃料流に含有される有機硫黄化合物に含まれる硫黄を硫化ニッケルに変換するように作動するニッケル反応物脱硫装置を備え、
ｂ）ニッケル反応物脱硫装置を約１５０℃〜約２３５℃の範囲の温度に維持し、
ｃ）ニッケル反応物装置の出口端において重量で約０．０５ｐｐｍ以下の硫黄を含有する低硫黄含有量ガソリン燃料流を提供するのに有効な量の水が混合物中に存在する、重量で約２％〜約５％の水と液体ガソリン燃料流との混合物をニッケル反応物脱硫装置へ導入し、
ｄ）水は、脱硫工程中にニッケル反応物によって少なくとも一部が消費され、低硫黄含有量ガソリン燃料流は、ニッケル反応物が水を消費する限り形成される、
ことを特徴とする方法。
【請求項２７】  混合物中の水は、ニッケル反応物装置の入口に選択的酸化器の排気の一部を再循環させて戻すことにより得られることを特徴とする請求項２６記載の方法。
【請求項２８】  選択的酸化器の排気の再循環される部分は、選択的酸化器の排気の全体の１％〜１０％であることを特徴とする請求項１３記載の方法。